(57)【要約】【課題】接着剤を用いずに、木質基材の木口面にエッジ材を貼り付けて化粧板を製造することができる化粧板の製造方法を提案する。【解決手段】本発明の化粧板１００の製造方法では、木質基材１の木口面１０に硬質層３を形成し、硬質層３に熱可塑性のエッジ材２を超音波溶着させることで、木口面１０にエッジ材２を貼り付けて化粧板１００を製造する。【選択図】図１
2014205285.tif 000002
【特許請求の範囲】
【請求項１】
木質基材の木口面に硬質層を形成し、
前記硬質層に熱可塑性のエッジ材を超音波溶着させることで、前記木口面に前記エッジ材を貼り付けて化粧板を製造することを特徴とする化粧板の製造方法。
【請求項２】
硬化性の塗料を前記木口面に塗布し、前記塗料を硬化することで、前記硬質層を形成することを特徴とする請求項１に記載の化粧板の製造方法。
【請求項３】
熱可塑性の硬質フィルムを前記木口面に貼り付けることで、前記硬質層を形成することを特徴とする請求項１に記載の化粧板の製造方法。
【発明の詳細な説明】
【技術分野】
【０００１】
本発明は、木質基材の木口面にエッジ材を貼り付けて化粧板を製造する化粧板の製造方法に関する。
【背景技術】
【０００２】
従来から、特許文献１等によって、木質系基材の木口面に、エッジ材をなす化粧シートを貼り付けて化粧板を製造する化粧板の製造方法が提案されている。
【０００３】
この化粧板の製造方法では、木口面に接着剤が塗布され、この接着剤を介してエッジ材が木口面に貼り付けられる。
【先行技術文献】
【特許文献】
【０００４】
【特許文献１】特開２００４−２４３６４７号公報
【発明の概要】
【発明が解決しようとする課題】
【０００５】
上述した化粧板の製造方法では、木口面にエッジ材を貼り付ける際に、接着剤が木口面とエッジ材との間からはみ出すおそれがあった。そのため、上述した化粧板の製造方法では、接着剤のはみ出した部位を除去する処理工程が必要となって、製造効率が低下するといった問題があった。
【０００６】
また、接着剤を使用した場合、接着剤の硬化に時間がかかるといった問題があった。
【０００７】
上記事情を鑑みて、本発明は、接着剤を用いずに、木質基材の木口面にエッジ材を貼り付けて化粧板を製造することができる化粧板の製造方法を提案することを課題とする。
【課題を解決するための手段】
【０００８】
上記課題を解決するために本発明の化粧板の製造方法は、木質基材の木口面に硬質層を形成し、前記硬質層に熱可塑性のエッジ材を超音波溶着させることで、前記木口面に前記エッジ材を貼り付けて化粧板を製造することを特徴とする。
【０００９】
また、硬化性の塗料を前記木口面に塗布し、前記塗料を硬化することで、前記硬質層を形成することが好ましい。
【００１０】
あるいは、熱可塑性の硬質フィルムを前記木口面に貼り付けることで、前記硬質層を形成することが好ましい。
【発明の効果】
【００１１】
本発明の化粧板の製造方法では、木質基材の木口面に硬質層を形成することで、この硬質層に熱可塑性のエッジ材を超音波溶着によって溶着させることができ、これにより、エッジ材を木口面に貼り付けて化粧板を製造することができる。したがって、本発明の化粧板の製造方法では、接着剤を用いずに、木質基材の木口面にエッジ材を貼り付けて化粧板を製造することができる。
【図面の簡単な説明】
【００１２】
【図１】本発明の実施形態の化粧板の製造方法の製造手順を示す説明図である。
【発明を実施するための形態】
【００１３】
以下、本発明の実施形態について添付図面に基づいて説明する。
【００１４】
図１には、本実施形態の化粧板１００の製造方法の製造手順が示されている。
【００１５】
本実施形態の化粧板１００の製造方法では、木質基材１の木口面１０に硬質層３を形成し、この硬質層３に熱可塑性のエッジ材２を貼り付けて化粧板１００が製造される。化粧板１００は、キッチンや洗面化粧台の扉等の水回り商品に好適に用いられる。
【００１６】
木質基材１は、例えば、平面視矩形の板状である。本実施形態では、木質基材１は、木材チップと木質繊維の両方または一方に、バインダ（結合剤）を混合して成形した木質ボードである。つまり、木質基材１は、木材チップに前記バインダを混合して成形したパーティクルボードや、木質繊維に前記バインダを混合して成形した中密度繊維板である。なお、木質基材１は、木材チップと木質繊維と前記バインダを混合して成形した木質ボードであってもよい。
【００１７】
木質基材１は、その側面である木口面１０全体に、硬質層３が形成される。硬質層３は、木口面１０を覆って木質基材１の側面を硬質化させる。なお、硬質層３は、木口面１０に比べて硬い。また、硬質層３は、木口面１０を覆って木口面１０の止水性を向上させる。
【００１８】
本実施形態では、硬質層３は、硬化性の塗料を木口面１０に塗布し、この塗料を硬化することで形成される。あるいは、硬質層３は、熱可塑性の硬質フィルムを木口面１０に貼り付けることで形成される。
【００１９】
前記塗料は、例えば、紫外線硬化性樹脂塗料や、電子線硬化性樹脂塗料や、フェノール等の熱硬化性樹脂である。前記紫外線硬化性樹脂塗料は、例えば、アクリル系材料の塗料である。なお、前記アクリル系材料の塗料は、ＡＢＳやＰＥＴ（ポリエチレンテレフタレート）に対して密着しやすい。
【００２０】
前記塗料は、木口面１０に塗布した状態で、硬化装置によって硬化される。このとき、前記塗料は、木口面１０を構成する木材チップや木質繊維の隙間に入り込んだ状態で硬化されて、木口面１０に接合する。前記硬化装置は、前記塗料の材質に対応したものが用いられ、例えば、紫外線照射装置や、電子線照射装置や、加熱装置である。
【００２１】
前記硬質フィルムは、例えば、アクリルや、ポリエチレンテレフタレートや、ポリカーボネイトである。なお、前記硬質フィルムは、エッジ材２の熱可塑性樹脂と同じ材質であることが好ましい。前記硬質フィルムは、裏面に粘着材が付着したものである。粘着材は、例えば、アクリル系、ゴム系、シリコン系である。
【００２２】
木質基材１の木口面１０に形成された硬質層３には、エッジ材２が超音波溶着によって貼り付けられる。エッジ材２は、硬質層３の表面全面を覆って木口面１０の外観意匠を向上させる。
【００２３】
エッジ材２は、熱可塑性樹脂を含む材質で形成されたものである。エッジ材２は、シート状や薄板状である。本実施形態では、エッジ材２は、全体が熱可塑性樹脂で形成されている。なお、エッジ材２は、全体ではなく一部に、つまり、木口面１０に重ねられる裏面に熱可塑性樹脂を含んだものであってもよい。
【００２４】
エッジ材２の熱可塑性樹脂は、例えば、ＡＢＳ、アクリル、ＰＥＴ（ポリエチレンテレフタレート）、ポリカーボネ―ト、塩化ビニル樹脂である。
【００２５】
本実施形態の化粧板１００は、例えば以下のようにして製造される。
【００２６】
まず、図１（ｂ）に示すように、木質基材１の木口面１０全面に、硬化性の前記塗料が塗布されるか、あるいは熱可塑性の前記硬質フィルムが貼り付けられて、木口面１０に硬質層３が形成される。次いで、図１（ｃ）に示すように、硬質層３の表面全面にエッジ材２の裏面が重ね合わせられ、溶着装置４によって、エッジ材２の裏面の熱可塑性樹脂が溶融されて、エッジ材２の裏面が硬質層３の表面に溶着される。ここで、硬質層３を熱可塑性の前記硬質フィルムで形成した場合、前記硬質フィルムの表面とエッジ材２の裏面の熱可塑性樹脂の両方が溶着装置４によって溶融されて互いに溶着される。また、硬質層３を硬化した前記塗料で形成した場合、エッジ材２の裏面の熱可塑性樹脂が溶着装置４によって溶融されて、硬化した前記塗料の表面に溶着される。
【００２７】
溶着装置４は、超音波溶着を行う超音波振動子４０である。超音波振動子４０は、エッジ材２の表面に押し当てられた状態で、木質基材１に対して接離する方向（図１（ｃ）の矢印の方向）に振動させられる。これにより、超音波振動子４０は、エッジ材２の裏面の熱可塑性樹脂を、短時間で溶融して、硬質層３の表面に溶着させることができる。
【００２８】
以上まとめると、本実施形態の化粧板１００の製造方法では、木質基材１の木口面１０に硬質層３を形成し、硬質層３に熱可塑性のエッジ材２を超音波溶着させることで、木口面１０にエッジ材２を貼り付けて化粧板１００を製造する。
【００２９】
以上のように、本実施形態の製造方法では、エッジ材２を木質基材１の木口面１０に貼り付ける際に、接着剤が必要とならない。言い換えると、本実施形態の化粧板１００の製造方法では、接着剤を用いずに、木質基材１の木口面１０にエッジ材２を貼り付けた化粧板１００を製造することができる。そのため、本実施形態の化粧板１００の製造方法では、接着剤のはみ出し部位の除去処理を省略できる等の、接着剤でエッジ材２を木口面１０に貼り付けることによって生じる各問題を回避することができる。また、本実施形態の化粧板１００の製造方法において、木口面１０に形成された硬質層３は、エッジ材２を貼り付ける際に、エッジ材２によって押されても木口面１０とエッジ材２との間からはみ出しにくい。そのため本実施形態の化粧板１００の製造方法では、硬質層３のはみ出した部位を除去する処理も省略できる。
【００３０】
また、本実施形態の化粧板１００の製造方法では、硬化性の塗料を木口面１０に塗布し、前記塗料を硬化することで、硬質層３を形成することが好ましい。このようにすることで、この製造方法では、短時間で硬質層３を木口面１０に形成することができる。また、この硬化性の塗料を用いた製造方法では、硬質層３を木口面１０からはみ出さないように木口面１０全体に簡単に形成することができる。
【００３１】
あるいは、本実施形態の化粧板１００の製造方法では、熱可塑性の硬質フィルムを木口面１０に貼り付けることで、硬質層３を形成することが好ましい。このようにすることで、この製造方法では、硬化性の塗料を塗布して硬化させるよりもさらに短時間で硬質層３を木口面１０に形成することができる。また、この熱可塑性の硬質フィルムを用いた製造方法では、硬質層３を木口面１０からはみ出さないように木口面１０全体に簡単に形成することができる。また、この熱可塑性の硬質フィルムを用いた製造方法では、超音波溶着によって、硬質フィルム自体も溶融させることができ、エッジ材２と硬質層３との溶着をさらに強固に行なうことができる。
【００３２】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００３３】
１      木質基材
２      エッジ材
３      硬質層
１０    木口面
１００  化粧板
【図１】
2014205285.tif 000003